(57)【特許請求の範囲】
【請求項１】
携帯可能な端末機及び当該端末機と通信可能なサーバのうち少なくとも一方に組み込まれる窓開閉指示通知システム用プログラムであって、
前記端末機及び前記サーバのうち少なくとも一方を、
室内に設けられた窓を開くべきか否か、及び当該窓を閉じるべきか否かのうち少なくとも一方の判断（以下、開閉判断という。）を実行する開閉判断部、
前記開閉判断部の判断結果を前記端末機を介して報知する報知部、並びに
前記開閉判断部の判断対象となった窓の位置（以下、対象窓位置という。）及び前記端末機の現在位置を示す情報に基づいて、前記報知部による報知作動が実行されるべき前記端末機（以下、報知端末機という。）を少なくとも１つ選択する選択部として機能させ、
前記端末機及び前記サーバのうち少なくとも一方を、
前記判断結果を「承認する操作」が前記報知端末機に対してされたか否かを判断する承認判断部、並びに
前記承認判断部により「承認する操作」がされていないと判断された場合に、当該判断に対して予め設定された作動を実行する非承認時作動部として機能させることを特徴とする窓開閉指示通知システム用プログラム。
【請求項２】
前記対象窓位置に対して最も近い位置にある前記端末機を近接端末機としたとき、
前記選択部は、少なくとも前記近接端末機を前記報知端末機として選択することを特徴とする請求項１に記載の窓開閉指示通知システム用プログラム。
【請求項３】
前記非承認時作動部は、前記判断結果を「拒否する操作」が前記報知端末機に対してされた場合に、前記判断結果の報知を停止することを特徴とする請求項１又は２に記載の窓開閉指示通知システム用プログラム。
【請求項４】
前記非承認時作動部は、前記「予め設定された作動」として前記報知端末機にて実行されている前記報知作動を停止することを特徴とする請求項１又は２に記載の窓開閉指示通知システム用プログラム。
【請求項５】
前記窓の開閉状態を示す信号を出力する窓状態検出部が設けられている場合において、
前記端末機及び前記サーバのうち少なくとも一方を、前記窓状態検出部から出力される信号に基づいて前記窓が前記判断結果に合致する状態であるか否かを判断する開閉状態判断部として機能させ、
前記対象窓位置に対して最も近い位置にある前記端末機を近接端末機としたとき、前記報知部は、前記開閉状態判断部により当該窓が前記判断結果に合致する状態であると判断された場合に前記近接端末機にて実行されている前記報知作動を停止することを特徴とする請求項１ないし４のいずれか１項に記載の窓開閉指示通知システム用プログラム。
【請求項６】
前記開閉判断部は、室外環境を示す情報及び室内環境を示す情報を利用して前記開閉判断を実行することを特徴とする請求項１ないし５のいずれか１項に記載の窓開閉指示通知システム用プログラム。
【請求項７】
前記開閉判断部は、少なくとも室外環境を示す情報を利用して前記開閉判断を実行することを特徴とする請求項１ないし５のいずれか１項に記載の窓開閉指示通知システム用プログラム。
【請求項８】
携帯可能な端末機と、
前記端末機と通信可能なサーバと、
前記端末機及び前記サーバのうち少なくとも一方で作動する開閉判断部であって、室内に設けられた窓を開くべきか否か、及び当該窓を閉じるべきか否かのうち少なくとも一方の判断を実行する開閉判断部と、
前記端末機及び前記サーバのうち少なくとも一方で作動する報知部であって、前記開閉判断部の判断結果を前記端末機を介して報知させる報知部と、
前記端末機及び前記サーバのうち少なくとも一方で作動する選択部であって、前記開閉判断部の判断対象となった窓の位置及び前記端末機の現在位置を示す情報に基づいて、前記報知部による報知作動が実行されるべき前記端末機を少なくとも１つ選択する選択部を備え、
前記端末機及び前記サーバのうち少なくとも一方は、
前記判断結果を「承認する操作」が前記報知端末機に対してされたか否かを判断する承認判断部、並びに
前記承認判断部により「承認する操作」がされていないと判断された場合に、当該判断に対して予め設定された作動を実行する非承認時作動部を備えることを特徴とする窓開閉指示通知システム。
【発明の詳細な説明】
【技術分野】
【０００１】
本発明は、窓開閉指示通知システム用プログラム等に関する。
【背景技術】
【０００２】
例えば、特許文献１に記載の発明では、冷房運転時に外気温度が所定温度以下となった場合に、制御手段は、冷房運転を停止させ、かつ、窓開閉手段を作動させて窓を開くとともに、送風手段を作動させて外気を室内に導入させることにより、空調装置の消費電力を低減している。
【先行技術文献】
【特許文献】
【０００３】
【特許文献１】特開２０１４−３１９５０号公報
【発明の概要】
【発明が解決しようとする課題】
【０００４】
本願は、携帯可能な端末機を有効利用することにより、例えば空調装置の消費電力を低減することも可能なシステムを実現することを目的とする。
【課題を解決するための手段】
【０００５】
本願では、携帯可能な端末機及び当該端末機と通信可能なサーバのうち少なくとも一方に組み込まれる窓開閉指示通知システム用プログラムであって、端末機及びサーバのうち少なくとも一方を、室内に設けられた窓を開くべきか否か、及び当該窓を閉じるべきか否かのうち少なくとも一方の判断（以下、開閉判断という。）を実行する開閉判断部、開閉判断部の判断結果を端末機を介して報知する報知部、並びに開閉判断部の判断対象となった窓の位置（以下、対象窓位置という。）及び端末機の現在位置を示す情報に基づいて、報知部による報知作動が実行されるべき端末機（以下、報知端末機という。）を少なくとも１つ選択する選択部として機能させることを特徴とする。
【０００６】
これにより、本発明では、確実な窓開け実施が行われない場合の発生を抑制できるので、携帯可能な端末機を有効利用することにより、例えば空調装置の消費電力を低減することが可能なシステムを実現することが可能となる。
【０００７】
因みに、上記各手段等の括弧内の符号は、後述する実施形態に記載の具体的手段等との対応関係を示す一例であり、本発明は上記各手段等の括弧内の符号に示された具体的手段段等に限定されるものではない。
【図面の簡単な説明】
【０００８】
【図１】窓開閉指示通知システムの概念図である。
【図２】窓開閉指示通知システムの作動の概要を示すフローチャートである。
【発明を実施するための形態】
【０００９】
以下に説明する「発明の実施形態」は実施形態の一例を示すものである。つまり、特許請求の範囲に記載された発明特定事項等は、下記の実施形態に示された具体的手段や構造等に限定されるものではない。
【００１０】
（第１実施形態）
１．窓開閉指示通知システムの構成
本実施形態は、ビル等の大型建築物に本発明を適用したものである。窓開閉指示通知システムを構成するハードウェア資源は、図１に示すように、携帯可能な端末機１、及び端末機１と通信可能なサーバ３等である。
【００１１】
端末機１は、タブレット型コンピュータやウェアラブルコンピュータ等のディスプレイ（表示器）が一体化された携帯型コンピュータであって、少なくともサーバ３と無線通信又は有線通信が可能である。
【００１２】
サーバ３は１台以上の端末機１と通信可能なコンピュータである。サーバ３は、端末機１と通信することにより、端末機１の現在位置を認識することが可能である。本実施形態では、端末機１が有するＧＰＳ（グローバルポジショニングシステム）機能やビル内に設置されたビーコン等の設備を利用して端末機１の現在位置を認識する。
【００１３】
サーバ３には、空調装置５と通信することにより、当該空調装置５の作動を間接的に制御可能である。すなわち、圧縮機や送風機等の空調装置５を構成する空調機器は、空調装置５に内蔵された制御装置（図示せず。）により制御される。サーバ３は、当該制御装置に対して空調装置５の停止や起動等の指令を発する。
【００１４】
なお、空調装置５の制御装置には、室温センサ５Ａ、吸込センサ５Ｂ及び吹出センサ５Ｃ等から出力される信号が入力されている。室温センサ５Ａは室内の温度を検知する。吸込センサ５Ｂは、空調装置５に吸い込まれる空気の温度を検知する。吹出センサ５Ｃは、空調装置５から室内に吹き出される空気の温度を検知する。
【００１５】
サーバ３には複数の窓センサ７から出力される信号が入力されている。各窓センサ７は、空調装置５が担う室内に設けられた各窓の開閉状態を検知する。サーバ３には、各窓センサ７と各窓との対応関係が予め記憶されている。このため、サーバ３は、各窓の開閉状態を認識できる。
【００１６】
サーバ３には環境センサ９ら出力される信号が入力されている。環境センサ９は、屋外の環境状態（環境要因）を検知するセンサである。具体的には、環境センサ９は、屋外の気温、湿度、風速、降雨状態、屋外騒音、微粒子濃度等の環境要因を検知する。
【００１７】
環境センサ９は、上記のように複数種類の環境要因を検知可能なセンサである。このため、通常、環境センサ９は、複数種類のセンサ等を組み合わせて構成されている。なお、窓センサ７、環境センサ９及び室温センサ５Ａで検知された情報（信号）は、ビル設備集中監視制御システム（ＢＡＳ）を介してサーバ３に入力される。
【００１８】
電子看板（サイネージ）１１は、サーバ３からの指令に従って各種の情報を表示可能な表示器である。なお、本実施形態では、窓センサ７から信号に基づいて各窓の開閉状態が表示される。
【００１９】
２．窓開閉指示通知システムの作動
窓開閉指示通知システムは、端末機１及びサーバ３のうち少なくとも一方に組み込まれる窓開閉指示通知システム用プログラムに従って作動する。なお、本実施形態では、判断等を伴う作動は、主にサーバ３により実行される。端末機１は、サーバ３から送信された指令を受けて当該指令に従った作動をする。
【００２０】
２．１  作動の概要
窓開閉指示通知システムは、少なくとも以下の作動を実行する。
すなわち、サーバ３は、室内に設けられた窓を開くべきか否か、及び当該窓を閉じるべきか否かのうち少なくとも一方の判断（以下、開閉判断という。）を実行する。当該開閉判断は、室外環境を示す情報及び室内環境を示す情報を利用して実行される。
【００２１】
室外環境を示す情報とは、環境センサ９により検知された情報である。室内環境を示す情報とは、空調装置５の制御装置を介してサーバ３が取得した室温センサ５Ａ等により検知された情報である。
【００２２】
サーバ３は、例えば、以下のような開閉判断を実行する。
（１）屋外騒音が予め設定された騒音値より大きい場合には、冷房運転時、暖房運転時及び除湿運転時を問わず、「窓を閉じるべき」旨の開閉判断をする。
【００２３】
（２）屋外に浮遊している微粒子（花粉や粉塵等）の濃度が予め設定された濃度値より大きい場合には、冷房運転時、暖房運転時及び除湿運転時を問わず、「窓を閉じるべき」旨の開閉判断をする。
【００２４】
（３）冷房運転時において室外温度が室内設定温度より低い場合には「窓を開くべき（外気冷房）」旨の開閉判断をする。室内設定温度とは制御目標温度である。空調装置５の制御装置は、室内温度が室内設定温度に近づくように各空調機器の作動を制御する。
【００２５】
（４）暖房運転時において室外温度が室内設定温度より高い場合には「窓を開くべき（外気暖房）」旨の閉判断をする。
次に、サーバ３は、開閉判断の内容（判断結果）に基づく内容（以下、報知内容）を端末機１を介して当該端末機１を携帯する者（以下、携帯者という。）に報知する。
【００２６】
なお、「端末機１を介して携帯者に報知する（以下、報知作動という。）」とは、当該端末機１のディスプレイに報知内容を表示する、又は当該端末機１のスピーカ（音声出力部）を介して報知内容を音声出力する等の作動をいう。このため、携帯者は、当該報知内容を現実に認識したか否かは不問である。
【００２７】
サーバ３は、開閉判断の判断対象となった窓の位置（以下、対象窓位置という。）及び端末機１の現在位置を示す情報に基づいて、報知作動が実行されるべき端末機（以下、報知端末機という。）を少なくとも１つ選択した後、１つ又は複数の報知端末機に報知内容を報知させる。
【００２８】
本実施形態では、サーバ３は、対象窓位置に対して最も近い位置にある端末機（以下、近接端末機という。）を報知端末機として選択する。「対象窓位置に対して最も近い位置にある端末機（近接端末機）」とは、対象窓位置からの直線距離が最も小さい端末機１は勿論のこと、対象窓位置を中心とした予め設定された範囲（以下、近接範囲という。）内に位置する端末機１も含む意味である。
【００２９】
なお、本実施形態に係る現在位置検知の分解能力は、例えば、約３ｍ間隔のメッシュ相当である。このため、近接範囲も約３ｍを自然数倍した範囲である。
サーバ３は、報知端末機から「報知した旨」の返信を受信すると、判断結果を「承認する操作」が報知端末機に対してされたか否かを判断する。このとき、「承認する操作」がされていないとサーバ３が判断すると、サーバ３は、当該判断に対して予め設定された作動（以下、非承認時作動という。）を実行する。
【００３０】
『「承認する操作」がされていない場合』とは、『判断結果を「拒否する操作」が報知端末機に対してされた場合』、及び『報知端末機に対して携帯者が具体的な操作をしないで放置した場合（以下、「放置操作」という。）』等である。
【００３１】
そして、本実施形態では、「拒否する操作」が報知端末機に対してされた場合、及び「放置操作」がされた場合には、非承認時作動として「判断結果の報知を停止」が実行される。
【００３２】
なお、サーバ３は、「近接範囲」又は「開閉判断の判断対象となった窓を有する室内」に携帯者がいない（端末機１が存在しない）と判断した場合には、開閉判断の結果によらず、報知作動を実行しない。
【００３３】
次に、サーバ３は、窓センサ７から出力される検出信号を利用して窓が判断結果に合致する状態であるか否かの判断をする。つまり、サーバ３が「窓を開くべき」旨の判断をした場合には、その判断の対象となった窓が開いているか否かを判断する。
【００３４】
サーバ３が「窓を閉じるべき」旨の判断をした場合には、その判断の対象となった窓が閉じているか否かを判断する。そして、判断の対象となった窓が判断結果に合致する状態であると判断された場合には、サーバ３は、近接端末機にて実行されている報知作動を停止させる。
【００３５】
なお、携帯者が端末機１に対してする操作（「承認する操作」や「拒否する操作」）は、端末機１に表示された仮想操作ボタンを操作（触れる）場合は勿論のこと、例えば端末機１を「振る操作」や端末機１に対して音声を入力する操作等がある。
【００３６】
２．２  作動制御フロー
図２は、上記窓開閉指示通知システムの概要の具体例の１つを示す作動制御フローであって、冷房運転時の作動制御フローの一例である。なお、本制御は、始業時から予め設定された時間（例えば、１５分）間隔で自動的に実行される。
【００３７】
室外環境を示す情報及び室内環境を示す情報が取得された後（Ｓ１）、当該情報を利用してサーバ３にて開閉判断が実行される（Ｓ３）。「外気を導入して冷房をすべき」旨の判断、つまり「窓を開くべき」の判断がサーバ３でされると（Ｓ３：外気冷房・適）、窓センサ７から出力される検知信号に基づいて、判断の対象となった窓の開閉状態がサーバ３にて確認される（Ｓ５）。
【００３８】
判断の対象となった窓が開いているとサーバ３により判断された場合には（Ｓ５：窓開）、電子看板（サイネージ）１１に「窓が開いている」旨の情報が表示される（Ｓ７）。判断の対象となった窓が閉じているとサーバ３により判断された場合には（Ｓ５：窓閉）、判断の対象となった窓付近に携帯者が存在するか否かがサーバ３により判断される（Ｓ９）。
【００３９】
窓付近とは、例えば、上述したように、「近接範囲」又は「開閉判断の判断対象となった窓を有する室内」である。なお、本実施形態では、室内の広さが狭い場合や窓の数が少ない場合には、「近接範囲」＝「開閉判断の判断対象となった窓を有する室内」とみなしている。
【００４０】
窓付近に携帯者が存在するとサーバ３により判断された場合には（Ｓ９：確認）、サーバ３は「窓を開くべき」旨の報知作動を実行する（Ｓ１１）。そして、窓が開かれたとサーバ３により判断された場合には、サーバ３は空調装置５を停止させるとともに、サイネージ１１にその旨を表示させる（Ｓ１３）。
【００４１】
「放置操作」、つまり「窓を開くべき」旨の報知作動が携帯者により無視されたとサーバ３により判断された場合には、サーバ３は、現在の報知端末と異なる他の報知端末を新たに選択した後、その新たに選択した報知端末に対して「窓を開くべき」旨の報知作動を実行する（Ｓ１５）。
【００４２】
「拒否する操作」が報知端末機に対してされたとサーバ３により判断された場合には、サーバ３は、「窓を開くべき」旨の報知作動を停止するとともに、その旨をサイネージ１１に表示する（Ｓ１７）。なお、報知作動が実行された後、Ｓ１３〜Ｓ１７のいずれを実行するかの判断は、報知作動の実行時から予め設定された時間（例えば、１０分）が経過したときに実行される。
【００４３】
また、窓付近に携帯者が存在しないとサーバ３により判断された場合には（Ｓ９：未確認）、サーバ３は、現在の報知端末と異なる他の報知端末を新たに選択した後、その新たに選択した報知端末に対して「窓を開くべき」旨の報知作動を実行する（Ｓ１９）。
【００４４】
なお、サーバ３は、現状の「近接範囲」を拡大した範囲の中から新たに選択すべき報知端末を選択する。拡大した「近接範囲」とは、例えば、判断の対象となった窓と同一フロアや同一の建物内範囲等である。
「外気を導入して冷房をすべきでない」旨の判断、つまり「窓を閉じるべき」の判断がサーバ３でされると（Ｓ３：外気冷房・不適）、窓センサ７から出力される検知信号に基づいて、判断の対象となった窓の開閉状態がサーバ３にて確認される（Ｓ２１）。
【００４５】
判断の対象となった窓が閉じているとサーバ３により判断された場合には（Ｓ２１：窓閉）、サイネージ１１に「窓が閉じている」旨の情報が表示される（Ｓ２３）。判断の対象となった窓が開いているとサーバ３により判断された場合には（Ｓ２１：窓開）、判断の対象となった窓付近に携帯者が存在するか否かがサーバ３により判断される（Ｓ２５）。
【００４６】
窓付近に携帯者が存在するとサーバ３により判断された場合には（Ｓ２５：確認）、サーバ３は「窓を閉じるべき」旨の報知作動を実行する（Ｓ２７）。そして、窓が閉じられたとサーバ３により判断された場合には、サーバ３は空調装置５を起動させるとともに、サイネージ１１にその旨を表示させる（Ｓ２９）。
【００４７】
「放置操作」、つまり「窓を閉じるべき」旨の報知作動が携帯者により無視されたとサーバ３により判断された場合には、サーバ３は、現在の報知端末と異なる他の報知端末を新たに選択した後、その新たに選択した報知端末に対して「窓を閉じるべき」旨の報知作動を実行する（Ｓ３１）。
【００４８】
「拒否する操作」が報知端末機に対してされたとサーバ３により判断された場合には、サーバ３は、「窓を閉じるべき」旨の報知作動を停止するとともに、その旨をサイネージ１１に表示する（Ｓ３３）。
【００４９】
また、窓付近に携帯者が存在しないとサーバ３により判断された場合には（Ｓ２５：未確認）、サーバ３は、現在の報知端末と異なる他の報知端末を新たに選択した後、その新たに選択した報知端末に対して「窓を閉じるべき」旨の報知作動を実行する（Ｓ３５）。
【００５０】
３．本実施形態に係る窓開閉指示通知システムの特徴
サーバ３は、判断対象となった窓の位置及び端末機１の現在位置を示す情報に基づいて報知作動が実行されるべき端末機を少なくとも１つ選択して報知作動を実行する。
【００５１】
これにより、本実施形態では、確実な窓開け実施が行われない場合の発生を抑制できるので、携帯可能な端末機を有効利用することにより、例えば空調装置の消費電力を低減することも可能なシステムを実現することが可能となる。
【００５２】
本実施形態では、報知作動に対する携帯者の応答に応じた作動可能であるので、携帯者の意志を反映した作動が可能となる。
つまり、「承認する操作」がされていない、又は「拒否する操作」がされたとサーバ３が判断すると、サーバ３は、当該判断に対して予め設定された非承認時作動を実行する。したがって、携帯者の意志を反映した作動が可能となる。
【００５３】
延いては、建物内にいる携帯者の意思がビル設備集中監視制御システムの運転に反映されるので、建物内の快適性、及び当該携帯者の満足度を向上させることが可能となる。
（その他の実施形態）
上述の実施形態では、判断の対象となった窓に近い範囲（近接範囲）から順に、報知対象となる報知端末機を拡大したが、本発明はこれに限定されるものではなく、例えば、判断の対象となった窓を有する室内に存在する端末機１の全て報知作動を実行させる、又は予め決められた１台以上の端末機１に報知作動を実行させてもよい。
【００５４】
上述の実施形態では、一定時間毎に上記の作動制御フローを実行させたが、本発明はこれに限定されるものではない。すなわち、例えば、（ａ）「拒否する操作」が報知端末機に対してされた場合には、その後、予め設定された時間が経過するまでは上記の作動制御フローの実行（報知作動）を停止する、又は（ｂ）「拒否する操作」がされた携帯者が建設範囲から離脱するまで上記の作動制御フローの実行（報知作動）を停止する等としてもよい。
【００５５】
上述の実施形態に係る作動制御フローは、冷房運転時の制御であったが、本発明はこれに限定されるものではなく、暖房運転又は除湿運転にも適用できる。
上述の実施形態では、主にサーバ３が判断を実行し、端末機１がサーバ３からの指令を受けて作動するものであったが、本発明はこれに限定されるものではなく、判断主体はサーバ３及び端末機１のいずれであってもよい。
【００５６】
上述の実施形態では、端末機１が有するＧＰＳ機能やビル内に設置されたビーコン等の設備を利用して端末機１の現在位置を認識したが、本発明はこれに限定されるものではなく、例えば、無線通信やＩＣタグを利用した方式であってもよい。
【００５７】
上述の実施形態では、室内環境を示す情報として室内温度を利用したが、本発明はこれに限定されるものではなく、例えば温湿度やエンタルピー等であってもよい。室外環境を示す情報には風速等も含まれる。
【００５８】
また、本発明は、特許請求の範囲に記載された発明の趣旨に合致するものであればよく、上述の実施形態に限定されるものではない。
【符号の説明】
【００５９】
１… 端末機
３… サーバ
５… 空調装置
５Ａ… 室温センサ
５Ｂ… 吸込センサ
５Ｃ… 吹出センサ
７… 窓センサ
９… 環境センサ
１１… サイネージ
【図１】
0006453684.tif 000002
【図２】
0006453684.tif 000003